(57)【要約】【課題】被検眼を変倍して前眼部画像を取得する際に、被検眼の前眼部を均一に照明できるようにして、前眼部画像の輝度ムラの発生を低減する仕組みを提供する。【解決手段】被検眼Ｅと対向する位置に配置される対物レンズとして倍率の異なる複数の対物レンズ１１１１及び１１２１を交換可能に構成された眼科装置１０００において、被検眼Ｅと対向する位置に配置された対物レンズ１１１１と、被検眼Ｅの前眼部に対して、対物レンズ１１１１の倍率に基づく被検眼Ｅと対物レンズ１１１１との間の距離であるワーキングディスタンスに応じた照明光を照射する前眼部照明光源１１１２を備える。【選択図】図１
2018187226.tif 000002
【特許請求の範囲】
【請求項１】
被検眼と対向する位置に配置される対物レンズとして倍率の異なる複数の対物レンズを交換可能に構成された眼科装置であって、
前記被検眼の前眼部に対して照明光を照射する照明手段と、
前記被検眼と対向する位置に配置された前記対物レンズの倍率を取得する取得手段と、
前記取得された前記対物レンズの倍率に応じて、前記照明光の照明範囲を変更する制御を行う制御手段と、
を有することを特徴とする眼科装置。
【請求項２】
前記制御手段は、前記取得された前記対物レンズの倍率が第１の倍率から当該第１の倍率よりも高倍率である第２の倍率に変更された場合に、前記照明光の照明範囲を狭く変更する制御を行うことを特徴とする請求項１に記載の眼科装置。
【請求項３】
前記照明手段は、複数の発光素子を含み構成されており、
前記制御手段は、前記複数の発光素子のうち、発光させる発光素子の数を変更することにより、前記照明光の照明範囲を変更する制御を行うことを特徴とする請求項１または２に記載の眼科装置。
【請求項４】
被検眼と対向する位置に配置される対物レンズとして倍率の異なる複数の対物レンズを交換可能に構成された眼科装置であって、
前記被検眼と対向する位置に配置された対物レンズと、
前記被検眼の前眼部に対して、前記対物レンズの倍率に基づく前記被検眼と前記対物レンズとの間の距離であるワーキングディスタンスに応じた照明光を照射する照明手段と、
を有することを特徴とする眼科装置。
【請求項５】
前記照明手段は、前記ワーキングディスタンスに応じた照明範囲の前記照明光を照射することを特徴とする請求項４に記載の眼科装置。
【請求項６】
前記照明手段は、前記ワーキングディスタンスが第１の距離のものと当該第１の距離よりも長い第２の距離のものとでは、前記第２の距離のものの方が、前記照明範囲が狭い前記照明光を照射することを特徴とする請求項５に記載の眼科装置。
【請求項７】
前記照明手段は、前記ワーキングディスタンスに応じた向きから前記照明光を照射することを特徴とする請求項４に記載の眼科装置。
【請求項８】
前記照明手段は、前記ワーキングディスタンスが第１の距離のものと当該第１の距離よりも長い第２の距離のものとでは、前記第２の距離のものの方が、前記向きが前記前眼部に向かう方向から外れた向きから前記照明光を照射することを特徴とする請求項７に記載の眼科装置。
【請求項９】
前記照明手段は、
前記照明光を出射する光源と、
前記光源から出射された前記照明光を前記前眼部に向けて反射する光学部材と、
を含み構成されており、
前記ワーキングディスタンスに応じた位置に配置された前記光学部材で前記照明光を前記前眼部に向けて反射することを特徴とする請求項４に記載の眼科装置。
【請求項１０】
前記照明手段は、前記ワーキングディスタンスが第１の距離のものと当該第１の距離よりも長い第２の距離のものとでは、前記第２の距離のものの方が、前記光源から離れた位置に配置された前記光学部材で前記照明光を前記前眼部に向けて反射することを特徴とする請求項９に記載の眼科装置。
【請求項１１】
前記対物レンズおよび前記照明手段は、筐体に格納されており、
前記筐体は、当該眼科装置に対して着脱可能に構成されていることを特徴とする請求項４乃至１０のいずれか１項に記載の眼科装置。
【請求項１２】
被検眼と対向する位置に配置される対物レンズとして倍率の異なる複数の対物レンズを交換可能に構成された眼科装置の作動方法であって、
前記被検眼と対向する位置に配置された前記対物レンズの倍率を取得する取得ステップと、
前記取得された前記対物レンズの倍率に応じて、照明手段から前記被検眼の前眼部に対して照射する照明光の照明範囲を変更する制御を行う制御ステップと、
を有することを特徴とする眼科装置の作動方法。
【請求項１３】
被検眼と対向する位置に配置される対物レンズとして倍率の異なる複数の対物レンズを交換可能に構成された眼科装置の作動方法であって、
前記被検眼の前眼部に対して、前記被検眼と対向する位置に配置された前記対物レンズの倍率に基づく前記被検眼と前記対物レンズとの間の距離であるワーキングディスタンスに応じた照明光を照射することを特徴とする眼科装置の作動方法。
【発明の詳細な説明】
【技術分野】
【０００１】
本発明は、被検眼と対向する位置に配置される対物レンズとして倍率の異なる複数の対物レンズを交換可能に構成された眼科装置及びその作動方法に関するものである。
【背景技術】
【０００２】
現在、眼を観察や撮影等するための眼科装置として、例えば、光干渉断層撮影（Ｏｐｔｉｃａｌ  Ｃｏｈｅｒｅｎｃｅ  ｔｏｍｏｇｒａｐｈｙ：ＯＣＴ）装置が実用化されている。このＯＣＴ装置は、被検眼へ測定光を照射し、被検眼からの測定光の戻り光と参照光とを干渉させて、この干渉光の強度を画像化し、被検眼の断層画像を取得する装置である。主に、眼底検査に用いられる。
【０００３】
眼科装置としてＯＣＴ装置を使用する場合、例えば眼の疾患により、眼底の周辺部まで含むように広範囲を撮影することや眼底の特定の部位を高解像で撮影すること、即ち光学倍率を変更して撮影することが求められている。この点に関して、例えば、特許文献１には、被検眼と対物レンズとの間に変倍用の光学部材を着脱することにより、光学倍率を変更する眼科装置が開示されている。
【先行技術文献】
【特許文献】
【０００４】
【特許文献１】特開２０１１−１４７６１２号公報
【発明の概要】
【発明が解決しようとする課題】
【０００５】
上述した特許文献１に記載の眼科装置では、変倍用の光学部材を共通の光学系に追加する構成となっている。このため、特許文献１に記載の眼科装置では、当該変倍に基づくワーキングディスタンス（作動距離）の変更により、例えばアライメントに用いる前眼部画像を取得するために照明手段から被検眼の前眼部に照射する照明光の照明状態が変わってしまう。そして、この場合、当該変倍によって、被検眼の前眼部を均一に照明することができずに、前眼部画像に輝度ムラが発生してしまうという問題が生じ得る。
【０００６】
本発明は、このような問題点に鑑みてなされたものであり、被検眼を変倍して前眼部画像を取得する際に、被検眼の前眼部を均一に照明できるようにして、前眼部画像の輝度ムラの発生を低減する仕組みを提供することを目的とする。
【課題を解決するための手段】
【０００７】
本発明の眼科装置は、被検眼と対向する位置に配置される対物レンズとして倍率の異なる複数の対物レンズを交換可能に構成された眼科装置であって、前記被検眼の前眼部に対して照明光を照射する照明手段と、前記被検眼と対向する位置に配置された前記対物レンズの倍率を取得する取得手段と、前記取得された前記対物レンズの倍率に応じて、前記照明光の照明範囲を変更する制御を行う制御手段と、を有する。
本発明の眼科装置における他の態様は、被検眼と対向する位置に配置される対物レンズとして倍率の異なる複数の対物レンズを交換可能に構成された眼科装置であって、前記被検眼と対向する位置に配置された対物レンズと、前記被検眼の前眼部に対して、前記対物レンズの倍率に基づく前記被検眼と前記対物レンズとの間の距離であるワーキングディスタンスに応じた照明光を照射する照明手段と、を有する。
また、本発明は、上述した眼科装置の作動方法を含む。
【発明の効果】
【０００８】
本発明によれば、被検眼を変倍して前眼部画像を取得する際に、被検眼の前眼部を均一に照明することができる。その結果、前眼部画像の輝度ムラの発生を低減することが可能となる。
【図面の簡単な説明】
【０００９】
【図１】本発明の第１の実施形態に係る眼科装置の概略構成の一例を示す図である。
【図２】本発明の第１の実施形態に係る眼科装置の作動方法における第１の処理手順の一例を示すフローチャートである。
【図３】図２のステップＳ１３におけるアライメントの一例を示す図である。
【図４】本発明の第１の実施形態に係る眼科装置の作動方法における第２の処理手順の一例を示すフローチャートである。
【図５】本発明の第１の実施形態に係る眼科装置において、低倍率（焦点距離が短く広画角）の対物レンズを格納する対物レンズ鏡筒が装着された場合の様子を示す図である。
【図６】本発明の第１の実施形態に係る眼科装置において、高倍率（焦点距離が長く狭画角）の対物レンズを格納する対物レンズ鏡筒が装着された場合の様子を示す図である。
【図７】本発明の第２の実施形態に係る眼科装置において、低倍率（焦点距離が短く広画角）の対物レンズを格納する対物レンズ鏡筒が装着された場合の様子を示す図である。
【図８】本発明の第２の実施形態に係る眼科装置において、高倍率（焦点距離が長く狭画角）の対物レンズを格納する対物レンズ鏡筒が装着された場合の様子を示す図である。
【図９】本発明の第３の実施形態に係る眼科装置において、低倍率（焦点距離が短く広画角）の対物レンズを格納する対物レンズ鏡筒が装着された場合の様子を示す図である。
【図１０】本発明の第３の実施形態に係る眼科装置において、高倍率（焦点距離が長く狭画角）の対物レンズを格納する対物レンズ鏡筒が装着された場合の様子を示す図である。
【発明を実施するための形態】
【００１０】
以下に、図面を参照しながら、本発明を実施するための形態（実施形態）について説明する。なお、以下に説明する実施形態は特許請求の範囲に係る本発明を限定するものではなく、また、以下の実施形態で説明されている特徴の組み合わせの全てが本発明の解決手段に必須のものとは限らない。また、以下の説明を通じて、異なる実施形態において同一の参照番号を付した構成は、互いに同一の構成であることを示している。
【００１１】
（第１の実施形態）
まず、本発明の第１の実施形態について説明する。
【００１２】
図１は、本発明の第１の実施形態に係る眼科装置１０００の概略構成の一例を示す図である。眼科装置１０００は、図１に示すように、光学ヘッド部１１００、電動ステージ部１２００、制御・処理部１３００、入力部１４００、及び、表示部１５００を有して構成されている。図１に示す例では、眼科装置１０００は、ＯＣＴ機能を含み構成されている。また、図１において、被検眼Ｅは、眼球を側面からみた断面を示している。
【００１３】
始めに、光学ヘッド部１１００について説明する。
本実施形態における眼科装置１０００は、被検眼Ｅと対向する位置に配置される対物レンズとして、倍率の異なる複数の対物レンズ１１１１及び１１２１を交換可能に構成されている。より具体的に、図１に示す例では、対物レンズ１１１１が低倍率（第１の倍率）の対物レンズであり、対物レンズ１１２１が対物レンズ１１１１よりも高倍率（第２の倍率）の対物レンズである。換言すれば、対物レンズ１１１１は焦点距離が短く広画角の対物レンズであり、対物レンズ１１２１は焦点距離が長く狭画角の対物レンズである。より詳細に、図１に示す例では、対物レンズ１１１１及び前眼部照明光源１１１２を格納する筐体である対物レンズ鏡筒１１１０と、対物レンズ１１２１及び前眼部照明光源１１２２を格納する筐体である対物レンズ鏡筒１１２０とが交換可能に構成されている。この際、前眼部照明光源１１１２及び１１２２は、被検眼Ｅの前眼部に対して照明光を照射する光源である。
【００１４】
また、対物レンズ鏡筒１１１０及び対物レンズ鏡筒１１２０には、それぞれ、例えば突起部からなる着脱検知用且つ対物レンズ鏡筒識別用の目印１１１３及び目印１１２３が設けられている。対物レンズ鏡筒１１１０に設けられている目印１１１３と対物レンズ鏡筒１１２０に設けられている目印１１２３とは、相互に、対物レンズ鏡筒の異なる位置に設けられている。対物レンズ鏡筒検知部１１３０は、対物レンズ鏡筒の異なる位置に設けられている目印１１１３または目印１１２３を検知することによって、眼科装置１０００にどの対物レンズ鏡筒（どの倍率の対物レンズ）が装着されたのかを検知することができる。
【００１５】
なお、本実施形態では、対物レンズ鏡筒に設けられた目印（１１１３，１１２３）を対物レンズ鏡筒検知部１１３０で検知することによって眼科装置１０００にどの対物レンズ鏡筒（どの倍率の対物レンズ）が装着されたのかを検知するようにしているが、本発明においてはこの形態に限定されるものではない。例えば、各対物レンズ鏡筒に格納されている前眼部照明光源の電流特性を制御・処理部１３００で検知することによって眼科装置１０００にどの対物レンズ鏡筒（どの倍率の対物レンズ）が装着されたのかを検知するようにした形態も、本発明に適用可能である。
【００１６】
また、光学ヘッド部１１００内には、各光学部材によって光路Ｌ１〜Ｌ６が形成される。この際、各光路Ｌ１〜Ｌ６を伝搬する光線は、光ファイバを通じて伝搬するものと光学部材を介して空中を伝搬するものとがある。
【００１７】
まず、光路Ｌ１について説明する。
光路Ｌ１には、ＯＣＴ光源１１３１及び光量調整部１１４０が配置されている。ＯＣＴ光源１１３１は、制御・処理部１３００の制御に基づいて、光を出射する。ここでは、ＯＣＴ光源１１３１としては、中心波長が１０６０ｎｍ、波長帯域が１６０ｎｍの光を出射する波長掃引型のＳＳ光源を用いるものとするが、本実施形態においてはこれに限定されるものではない。例えば、ＯＣＴ光源１１３１として、中心波長が８５０ｎｍ、波長帯域が５０ｎｍの光を出射するＳＬＤ（Ｓｕｐｅｒ  Ｌｕｍｉｎｅｓｃｅｎｔ  Ｄｉｏｄｅ）を適用することも可能である。さらに、ＯＣＴ光源１１３１から出射される光の波長は、特に制限されるものではないが、被検眼Ｅの撮影範囲に応じて適宜選択される。光量調整部１１４０は、ＯＣＴ光源１１３１から出射された光の光量を調整する。この光量調整部１１４０は、光を空中へ伝搬するファイバ端１１４１、ファイバ端１１４１から出射した光の光量を調整するための光学部材１１４２，１１４３，１１４４、及び、光学部材１１４４を通過した光をカプラ１１５０に導くためのファイバ端１１４５を有している。
【００１８】
カプラ１１５０は、光量調整部１１４０から出力された光を測定光と参照光とに分岐する光分岐手段である。カプラ１１５０で分岐された測定光は、光路Ｌ２を通り、被検眼Ｅの眼底Ｅｒに導かれる。
【００１９】
続いて、測定光に係る光路Ｌ２について説明する。
具体的に、カプラ１１５０で分岐された測定光は、ファイバ端１１５１により空中へ伝搬し、光学部材１１５２及び１１５３を介して、シャッタ１１５４に到達する。ここで、光学部材１１５３は、被検眼Ｅの眼底Ｅｒへの測定光におけるフォーカスを調整するためのフォーカス調整手段であり、具体的に例えばフォーカスレンズである。この光学部材１１５３は、制御・処理部１３００の制御に基づいて、その位置が移動可能に構成されている。また、シャッタ１１５４は、制御・処理部１３００の制御に基づいてシャッタ駆動機構１１５５により駆動される。
【００２０】
シャッタ１１５４を通過した測定光は、ガルバノスキャナ１１５６及び１１５７に到達する。このガルバノスキャナ１１５６及び１１５７は、制御・処理部１３００の制御に基づいて、測定光を被検眼Ｅの眼底Ｅｒに対して２次元走査を行う走査手段である。本実施形態においては、ガルバノスキャナ１１５６及び１１５７は、それぞれ、被検眼Ｅの眼底Ｅｒに対して、Ｘ方向及びＹ方向に２次元走査する。
【００２１】
ガルバノスキャナ１１５６及び１１５７を通過した測定光は、ミラー１１５８、リレーレンズ１１５９、ダイクロイックミラー１１６０及び１１６１を介して、対物レンズ１１１１または対物レンズ１１２１により、被検眼Ｅｒの眼底Ｅｒに導かれる。ここで、例え３羽、ダイクロイックミラー１１６０は測定光が入射した場合には透過する特性を有し、ダイクロイックミラー１１６１は測定光が入射した場合には反射する特性を有する。なお、光学系の配置によっては、ダイクロイックミラー１１６０とダイクロイックミラー１１６１における透過・反射の特性が逆でもよい。
【００２２】
被検眼Ｅの眼底Ｅｒに到達した測定光は、眼底Ｅｒで拡散・反射等して、戻り光となる。そして、測定光の戻り光は、光路Ｌ２を辿ってファイバ端１１５１を介してカプラ１１５０に戻り、その後、カプラ１１７０に到達する。
【００２３】
続いて、参照光に係る光路Ｌ３について説明する。
具体的に、カプラ１１５０で分岐された参照光は、ファイバ端１１６２により空中へ伝搬し、光学部材１１６３、光量を調整するための光学部材１１６４を介して、光路Ｌ３の光路長を変更するための参照ミラー１１６５に到達する。この参照ミラー１１６５は、制御・処理部１３００の制御に基づいて、その位置が移動可能に構成されている。そして、参照ミラー１１６５で反射した参照光は、光学部材１１６６を介して、ファイバ端１１６７から、カプラ１１７０に導かれる。
【００２４】
続いて、光路Ｌ４について説明する。
カプラ１１７０は、カプラ１１５０から導かれた測定光の戻り光とファイバ端１１６７から導かれた参照光とを合波する合波手段である。そして、カプラ１１７０により合波された干渉光は、分岐して光路Ｌ４を通過し、差動検知部１１７１に導かれる。差動検知部１１７１は、干渉光を電気信号であるＯＣＴ干渉信号として検知する。Ａ／Ｄ変換部１１７２は、差動検知部１１７１で得られたアナログのＯＣＴ干渉信号をデジタルのＯＣＴ干渉信号に変換し、これを制御・処理部１３００に出力する。
【００２５】
続いて、光路Ｌ５について説明する。
光路Ｌ５には、レンズユニット１１８１、フレネルレンズ１１８２、レンズユニット１１８３、及び、ＣＣＤセンサ１１８４が配置されている。この光路Ｌ５は、被検眼Ｅの前眼部を撮影し、被検眼Ｅと対物レンズ１１１１または１１２１との間の距離（作動距離）であるワーキングディスタンスを合わせるアライメント用の画像を取得するための光路である。例えば対物レンズ鏡筒１１１０に格納されている前眼部照明光源１１１２（或いは、対物レンズ鏡筒１１２０に格納されている前眼部照明光源１１２２）から出射され、被検眼Ｅの前眼部で反射等した照明光は、対物レンズ１１１１（或いは、対物レンズ１１２１）、ダイクロイックミラー１１６１を介して、光路Ｌ５に導かれる。具体的に、光路Ｌ５に導かれた照明光は、レンズユニット１１８１、被検眼Ｅの瞳孔と共役の位置に配置されたフレネルレンズ１１８２、レンズユニット１１８３を介して、ＣＣＤセンサ１１８４に結像される。このとき、ＣＣＤセンサ１１８４は、被検眼Ｅの瞳孔とフレネルレンズ１１８２と共役の関係にある。そして、ＣＣＤセンサ１１８４は、入射した照明光を電気信号である前眼部画像信号として検知し、これを制御・処理部１３００に出力する。
【００２６】
前眼部照明光源１１１２及び１１２２は、例えば、波長が８７０ｎｍ、波長幅が３５ｎｍの光を出射する複数のＬＥＤ（発光素子）を具備して構成されている。なお、図１に示す例では、前眼部照明光源１１１２は、Ｙ方向において対物レンズ１１１１の上下に２つ設けられているが、この場合、当該２つの前眼部照明光源１１１２のそれぞれに、上述した複数のＬＥＤ（発光素子）が備えられているものとする。同様に、図１に示す例では、前眼部照明光源１１２２は、Ｙ方向において対物レンズ１１２１の上下に２つ設けられているが、この場合、当該２つの前眼部照明光源１１２２のそれぞれに、上述した複数のＬＥＤ（発光素子）が備えられているものとする。また、ＬＥＤとしては、例えば、砲弾型ＬＥＤや表面実装型ＬＥＤを用いることができる。
【００２７】
なお、ダイクロイックミラー１１６１は、光の波長に基づいて、光路Ｌ１を伝搬する光を反射し、光路Ｌ２を伝搬する光を透過する特性を有する。また、このダイクロイックミラー１１６１は、光の波長とその入射角に依存して、透過率もしくは反射率が異なり、特に前眼部画像を撮影する場合、画像内で到達光量が変わることによりシェーディングと呼ばれる輝度ムラが発生することも懸念される。さらに、図１に示すように、対物レンズ鏡筒の部分を交換可能としその他の部分を共通の光学系として備え、波長によって透過・反射特性の異なるダイクロイックミラー１１６１を用いてＯＣＴ光学系の光路Ｌ２と前眼部観察光学系の光路Ｌ５を分岐している場合、焦点距離の異なる対物レンズに交換することで、ダイクロイックミラー１１６１への入射角度特性が変わり、撮影画像内にシェーディングが発生する場合もある。
【００２８】
続いて、光路Ｌ６について説明する。
光路Ｌ６には、被検眼Ｅの眼底Ｅｒの観察を行うための観察光学系１１９０が配置されている。この観察光学系１１９０は、例えば、被検眼Ｅの眼底Ｅｒにおける眼底正面画像信号を取得するための光学系である。
【００２９】
次いで、図１に示す眼科装置１０００において、光学ヘッド部１１００以外の他の構成（電動ステージ部１２００、制御・処理部１３００、入力部１４００、及び、表示部１５００）について説明する。
【００３０】
電動ステージ部１２００は、制御・処理部１３００の制御に基づいて、光学ヘッド部１１００を図１のＸ方向、Ｙ方向、Ｚ方向に移動させる。
【００３１】
制御・処理部１３００は、例えば入力部１４００から入力された入力情報等に基づいて、眼科装置１０００における動作を統括的に制御するとともに、各種の処理を行う。例えば、制御・処理部１３００は、入力部１４００から入力された撮影条件に基づいて、光学ヘッド部１１００（例えば、ＯＣＴ光源１１３１や、前眼部照明光源１１１２または１１２２等）を制御する。この制御・処理部１３００は、情報取得部１３１０、制御部１３２０、画像生成部１３３０、及び、記憶部１３４０を有して構成されている。
【００３２】
情報取得部１３１０は、対物レンズ鏡筒検知部１１３０から、眼科装置１０００に装着された対物レンズ鏡筒に格納されている対物レンズの倍率を含む対物レンズ情報を取得する。そして、情報取得部１３１０は、記憶部１３４０から、当該対物レンズ情報に対応する各種のパラメータを取得する。ここで取得する各種のパラメータとしては、例えば、図１に示す各対物レンズ（１１１１，１１２１）に応じた、ワーキングディスタンス（ＷＤ１，ＷＤ２）、前眼部照明光源（１１１２，１１２２）の制御パラメータ、レンズユニット１１８３の基準位置、ＣＣＤセンサ１１８４のゲイン、光学部材（フォーカスレンズ）１１５３の基準位置等である。
【００３３】
制御部１３２０は、眼科装置１０００における動作を統括的に制御する。例えば、制御部１３２０は、情報取得部１３１０で取得した対物レンズ情報に対応する各種のパラメータに従って、光学ヘッド部１１００を制御する。また、制御部１３２０は、後述する画像生成部１３３０で生成された前眼部画像、眼底正面画像及び眼底断層画像を表示部１５００に表示する制御も行う。この際、制御部１３２０は、前眼部画像、眼底正面画像及び眼底断層画像を、例えば表示部１５００に同時に表示する制御を行う。
【００３４】
画像生成部１３３０は、Ａ／Ｄ変換部１１７２から出力されたＯＣＴ干渉信号に対して、各種の信号処理（例えば、フーリエ変換などの周波数解析処理等）を行って、被検眼Ｅの眼底Ｅｆにおける眼底断層画像を生成する。また、画像生成部１３３０は、ＣＣＤセンサ１１８４から出力された前眼部画像信号に対して各種の信号処理を行って、被検眼Ｅの前眼部における前眼部画像を生成する。さらに、画像生成部１３３０は、観察光学系１１９０から出力された眼底正面画像信号に対して各種の信号処理を行って、眼底正面画像を生成する。
【００３５】
記憶部１３４０は、例えば制御・処理部１３００が処理を実行するためのプログラムや各種の情報等を予め記憶するとともに、制御・処理部１３００の処理によって得られた各種の情報等を記憶する。例えば、記憶部１３４０は、被検眼Ｅと対向する位置に配置され得る異なる倍率の対物レンズ１１１１及び１１２１と、情報取得部１３１０で取得する各種のパラメータ（例えば、上述したワーキングディスタンス（ＷＤ１，ＷＤ２）、前眼部照明光源（１１１２，１１２２）の制御パラメータ、レンズユニット１１８３の基準位置、ＣＣＤセンサ１１８４のゲイン、光学部材（フォーカスレンズ）１１５３の基準位置等）との対応関係を示すテーブル情報を記憶している。さらに、記憶部１３４０は、被検眼Ｅに係る被検者情報等も記憶している。
【００３６】
入力部１４００は、例えば、ユーザ（操作者）により操作入力された入力情報を制御・処理部１３００に入力する。なお、入力部１４００は、例えば、通信回線を介して外部装置から入力された入力情報を制御・処理部１３００に入力するようにしてもよい。
【００３７】
表示部１５００は、制御・処理部１３００（具体的には、制御部１３２０）の制御に基づいて、各種の画像や各種の情報を表示する。
【００３８】
次に、本実施形態の眼科装置１０００の作動方法を示す処理手順について説明する。
図２は、本発明の第１の実施形態に係る眼科装置１０００の作動方法における第１の処理手順の一例を示すフローチャートである。具体的に、図２では、被検眼Ｅの眼底Ｅｆにおける眼底断層画像を撮影する際の全体的な処理の流れを示している。なお、図２に示すフローチャートの処理に際しては、対物レンズ鏡筒１１１０及び対物レンズ鏡筒１１２０のうちのどちらの対物レンズ鏡筒が眼科装置１０００に装着されていてもよいが、ここでは、例えば、対物レンズ鏡筒１１１０が眼科装置１０００に装着されているものとする。
【００３９】
光学ヘッド部１１００に対して被検眼Ｅが所定の位置に配置され、入力部１４００から撮影指示に係る入力情報が入力されると、ステップＳ１１において、制御・処理部１３００は、これを検知する。そして、情報取得部１３１０は、対物レンズ鏡筒検知部１１３０から、眼科装置１０００に装着された対物レンズ鏡筒に格納されている対物レンズの倍率を含む対物レンズ情報を取得する。ここでは、対物レンズ鏡筒１１１０に格納されている対物レンズ１１１１に係る対物レンズ情報が取得される。次いで、情報取得部１３１０は、記憶部１３４０から、当該対物レンズ情報に対応する各種のパラメータ（前眼部照明光源の制御パラメータ等）を取得する。次いで、制御部１３２０は、情報取得部１３１０で取得された前眼部照明光源の制御パラメータに基づいて、眼科装置１０００に装着された対物レンズ鏡筒に格納されている前眼部照明光源（ここでは、前眼部照明光源１１１２）から出射する照明光を制御する。これにより、前眼部照明光源（前眼部照明光源１１１２）から被検眼Ｅの前眼部に照明光が照射される。次いで、画像生成部１３３０は、ＣＣＤセンサ１１８４から出力された前眼部画像信号に対して各種の信号処理を行って、被検眼Ｅの前眼部における前眼部画像を生成し取得する。次いで、制御部１３２０は、画像生成部１３３０で生成された前眼部画像を表示部１５００に表示する制御を行い、表示部１５００に前眼部画像が表示される。これにより、ユーザは、表示部１５００にリアルタイムに表示される前眼部画像を観察することができる。
【００４０】
表示部１５００にリアルタイムに表示される前眼部画像を観察しているユーザから、入力部１４００を介して光学ヘッド部１１００の移動指示に係る入力情報が入力されると、ステップＳ１２において、制御・処理部１３００は、これを検知する。そして、制御・処理部１３００は、当該入力情報に基づいて電動ステージ部１２００を制御し、光学ヘッド部１１００の位置調整を行う。
【００４１】
表示部１５００にリアルタイムに表示される前眼部画像を観察しているユーザから、入力部１４００を介してアライメントに係る入力情報が入力されると、ステップＳ１３において、制御・処理部１３００は、これを検知する。そして、制御・処理部１３００は、当該入力情報に基づいて、アライメント処理を行う。
【００４２】
図３は、図２のステップＳ１３におけるアライメントの一例を示す図である。
被検眼Ｅと対物レンズ（ここでは、対物レンズ１１１１）とのワーキングディスタンス（ＷＤ）が適正距離であれば、図３（ａ）に示すように、上分割画像３１１と下分割画像３１２における瞳の像が一致し、正しい前眼部画像が取得される。一方、被検眼Ｅと対物レンズ（ここでは、対物レンズ１１１１）とのワーキングディスタンス（ＷＤ）が適正距離でなければ、図３（ｂ）に示すように、フレネルレンズ１１８２の作用によって、上分割画像３２１と下分割画像３２２における瞳の像が一致しない。ユーザは、表示部１５００にリアルタイムに表示される前眼部画像を見ながら、図３（ａ）の状態になるように、アライメントを行う。
【００４３】
アライメント処理が完了すると、制御部１３２０は、画像生成部１３３０で生成された眼底正面画像及び眼底断層画像を表示部１５００に表示する制御を行い、表示部１５００に眼底正面画像及び眼底断層画像が表示される。表示部１５００に表示される眼底正面画像及び眼底断層画像を観察しているユーザから、入力部１４００を介して眼底断層画像の輝度調整に係る入力情報が入力されると、ステップＳ１４において、制御・処理部１３００は、これを検知する。そして、制御・処理部１３００は、当該入力情報に基づいて、光学部材（フォーカスレンズ）１１５３及び参照ミラー１１６５の位置を制御し、眼底断層画像の輝度調整を行う。ここでは、例えば、眼底断層画像の輝度が最も明るくなるように調整する。
【００４４】
続いて、ユーザから入力部１４００を介して撮影指示に係る入力情報が入力されると、ステップＳ１５において、制御・処理部１３００は、これを検知する。そして、制御・処理部１３００は、当該入力情報に基づいて、被検眼Ｅの眼底Ｅｆにおける眼底断層画像の撮影処理を行う。
【００４５】
続いて、ステップＳ１６において、画像生成部１３３０は、ステップＳ１５による撮影処理に基づく眼底断層画像の生成処理を行う。その後、制御部１３２０は、ステップＳ１６で生成された眼底断層画像を記憶部１３４０に記憶したり、表示部１５００に表示したりする制御を行う。そして、その後、図２に示すフローチャートの処理を終了する。
【００４６】
次に、被検眼Ｅと対向する位置に配置される対物レンズを交換し、眼底断層画像の撮影倍率を変更する際の、本実施形態の眼科装置１０００の作動方法を示す処理手順について説明する。
【００４７】
図４は、本発明の第１の実施形態に係る眼科装置１０００の作動方法における第２の処理手順の一例を示すフローチャートである。具体的に、図４では、被検眼Ｅと対向する位置に配置される対物レンズを交換して撮影倍率を変更し、眼底断層画像を撮影する際の全体的な処理の流れを示している。なお、図４の説明においては、説明を簡単にするために、被検眼Ｅと対向する位置に配置され得る対物レンズとして、低倍率（焦点距離が短く広画角）の対物レンズ１１１１と高倍率（焦点距離が長く狭画角）の対物レンズ１１２１との２つがあるものとする。また、図４のフローチャートを開始するのに際して、記憶部１３４０には、各対物レンズ（１１１１，１１２１）と、上述した各種のパラメータ（ワーキングディスタンス（ＷＤ１，ＷＤ２）、前眼部照明光源（１１１２，１１２２）の制御パラメータ、レンズユニット１１８３の基準位置、ＣＣＤセンサ１１８４のゲイン、光学部材（フォーカスレンズ）１１５３の基準位置等）との対応関係を示すテーブル情報が予め記憶されているものとする。
【００４８】
まず、対物レンズ鏡筒（対物レンズ）の交換がなされると、ステップＳ２１において、対物レンズ鏡筒検知部１１３０は、交換がなされた対物レンズ鏡筒を検知する処理を行う。ここで、本実施形態においては、対物レンズ鏡筒検知部１１３０は、対物レンズ鏡筒の異なる位置に設けられている目印１１１３及び目印１１２３を検知することにより、それぞれ、対物レンズ鏡筒１１１０及び１１２０を検知する。なお、対物レンズ鏡筒の交換は、対物レンズ鏡筒を眼科装置１０００の対物レンズ鏡筒取り付け部（不図示）に取り付けることにより行われる。この際、対物レンズ鏡筒取り付け部（不図示）の取り付け機構としては、例えば、バヨネット式など公知のマウント機構を用いることができる。
【００４９】
続いて、ステップＳ２２において、情報取得部１３１０は、対物レンズ鏡筒検知部１１３０から、眼科装置１０００に装着された対物レンズ鏡筒に格納されている対物レンズの倍率を含む対物レンズ情報を取得する。そして、情報取得部１３１０は、記憶部１３４０から、当該対物レンズ情報に対応する各種のパラメータを取得する。ここで取得する各種のパラメータとしては、例えば、図１に示す各対物レンズ（１１１１，１１２１）に応じた、ワーキングディスタンス（ＷＤ１，ＷＤ２）、前眼部照明光源（１１１２，１１２２）の制御パラメータ、レンズユニット１１８３の基準位置、ＣＣＤセンサ１１８４のゲイン、光学部材（フォーカスレンズ）１１５３の基準位置等である。
【００５０】
続いて、ステップＳ２３において、制御部１３２０は、ステップＳ２２で取得された対物レンズ情報に対応する各種のパラメータに基づいて、光学ヘッド部１１００の設定を変更する制御を行う。具体的に、本ステップでは、制御部１３２０は、ステップＳ２２で取得された対物レンズ情報に対応するワーキングディスタンスの情報に基づいて、被検眼Ｅと対物レンズとの間の距離（作動距離）であるワーキングディスタンスを変更する制御を行う。また、制御部１３２０は、ステップＳ２２で取得された対物レンズ情報に対応する前眼部照明光源の制御パラメータに基づいて、前眼部照明光源の電流値と当該前眼部照明光源による照明光の照明範囲を変更する制御を行う。さらに、制御部１３２０は、ステップＳ２２で取得された対物レンズ情報に対応するＣＣＤセンサ１１８４のゲインの情報に基づいて、ＣＣＤセンサ１１８４のゲインを変更する制御を行う。
【００５１】
続いて、ステップＳ２４において、制御部１３２０は、ステップＳ２２で取得された対物レンズ情報に対応する各種のパラメータに基づいて、光学ヘッド部１１００の光学部材を移動する制御を行う。具体的に、本ステップでは、制御部１３２０は、ステップＳ２２で取得された対物レンズ情報に対応する光学部材（フォーカスレンズ）１１５３の基準位置の情報に基づいて、光学部材（フォーカスレンズ）１１５３の位置を移動する制御を行う。また、制御部１３２０は、ステップＳ２２で取得された対物レンズ情報に対応するレンズユニット１１８３の基準位置の情報に基づいて、レンズユニット１１８３の位置を移動する制御を行って、前眼部画像の倍率を変更する。なお、この前眼部画像の倍率を変更する場合も、被検眼Ｅの瞳孔とフレネルレンズ１１８２、ＣＣＤセンサ１１８４とは、共役の関係を保つ。また、レンズユニット１１８３を移動せずに、制御・処理部１３００による画像処理により表示部１５００の表示倍率を変更してもよい。また、対物レンズ鏡筒を交換する際、前眼部画像も交換前後で表示倍率が変わらないように、レンズユニット１１８３について予め対物レンズの焦点距離で決まる焦点距離をもつレンズへ交換してもよい。
【００５２】
続いて、ユーザから入力部１４００を介して撮影指示に係る入力情報が入力されると、ステップＳ２５において、制御・処理部１３００は、これを検知する。そして、制御・処理部１３００は、当該入力情報に基づいて、被検眼Ｅの眼底Ｅｆにおける眼底断層画像の撮影処理を行う。
【００５３】
続いて、ステップＳ２６において、画像生成部１３３０は、ステップＳ２５による撮影処理に基づく眼底断層画像の生成処理を行う。その後、制御部１３２０は、ステップＳ２６で生成された眼底断層画像を記憶部１３４０に記憶したり、表示部１５００に表示したりする制御を行う。そして、その後、図４に示すフローチャートの処理を終了する。
【００５４】
次に、第１の実施形態に係る眼科装置１０００に各対物レンズ鏡筒（１１１０，１１２０）が装着された場合について、より詳細に説明する。
【００５５】
図５は、本発明の第１の実施形態に係る眼科装置１０００において、低倍率（焦点距離が短く広画角）の対物レンズ１１１１を格納する対物レンズ鏡筒１１１０が装着された場合の様子を示す図である。この図５において、図１に示す構成と同様の構成については同じ符号を付しており、その詳細な説明は省略する。また、図５では、図１に示す対物レンズ鏡筒１１１０に相当する構成を「対物レンズ鏡筒１１１０−１」として記載し、図１に示す対物レンズ１１１１に相当する構成を「対物レンズ１１１１−１」として記載し、図１に示す前眼部照明光源１１１２に相当する構成を「前眼部照明光源１１１２−１」として記載し、図１に示す目印１１１３に相当する構成を「目印１１１３−１」として記載している。また、図５に示す場合において、低倍率の対物レンズ１１１１−１の倍率に基づく被検眼Ｅと対物レンズ１１１１−１との間のワーキングディスタンスをワーキングディスタンスＷＤ１として記載している。
【００５６】
図６は、本発明の第１の実施形態に係る眼科装置１０００において、高倍率（焦点距離が長く狭画角）の対物レンズ１１２１を格納する対物レンズ鏡筒１１２０が装着された場合の様子を示す図である。この図６において、図１に示す構成と同様の構成については同じ符号を付しており、その詳細な説明は省略する。また、図６では、図１に示す対物レンズ鏡筒１１２０に相当する構成を「対物レンズ鏡筒１１２０−１」として記載し、図１に示す対物レンズ１１２１に相当する構成を「対物レンズ１１２１−１」として記載し、図１に示す前眼部照明光源１１２２に相当する構成を「前眼部照明光源１１２２−１」として記載し、図１に示す目印１１２３に相当する構成を「目印１１２３−１」として記載している。また、図６に示す場合において、高倍率の対物レンズ１１２１−１の倍率に基づく被検眼Ｅと対物レンズ１１２１−１との間のワーキングディスタンスをワーキングディスタンスＷＤ２として記載している。なお、図５に示すワーキングディスタンスＷＤ１と図６に示すワーキングディスタンスＷＤ２との関係は、ＷＤ２＞ＷＤ１となっている。
【００５７】
第１の実施形態では、制御部１３２０は、図４のステップＳ２３において、図４のステップＳ２２で取得された対物レンズの倍率に応じて、前眼部照明光源による照明光の照明範囲を変更する制御を行うようにしている。具体的に、制御部１３２０は、被検眼Ｅと対向する位置に配置された対物レンズが図５に示す低倍率（焦点距離が短く広画角）の対物レンズ１１１１から図６に示す高倍率（焦点距離が長く狭画角）の対物レンズ１１２１に変更された場合、前眼部照明光源による照明光の照明範囲を図５に示す照明範囲５０１から図６に示す照明範囲６０１のように狭く変更する制御を行う。逆に、制御部１３２０は、図６に示す高倍率の対物レンズ１１２１から図５に示す低倍率の対物レンズ１１１１に変更された場合、前眼部照明光源による照明光の照明範囲を図６に示す照明範囲６０１から図５に示す照明範囲５０１のように広く変更する制御を行う。なお、本実施形態において照明範囲が広い／狭いとは、相対的な広さを示し、光源から同じ距離における照明範囲の広さを比較している。
【００５８】
図６に示す高倍率（焦点距離が長く狭画角）の対物レンズ１１２１から図５に示す低倍率（焦点距離が短く広画角）の対物レンズ１１１１に変更された場合には、焦点距離が短くなる（ワーキングディスタンスが短くなる）。この際、図５に示す前眼部照明光源１１１２−１による照明光の照明範囲を図６に示す狭い照明範囲６０１から変更しない場合、被検眼Ｅの前眼部を均一に照明することができなくなる。例えば、この場合、被検眼Ｅの前眼部において、照明光で照明できない部分が生じてしまうことが考えられる。その結果、前眼部画像において輝度ムラが発生し、適正な被検眼Ｅの検査を行うことが困難となってしまう。そこで、本実施形態では、この場合、上述したように、前眼部照明光源による照明光の照明範囲を図６に示す照明範囲６０１から図５に示す照明範囲５０１のように広く変更して、被検眼Ｅの前眼部を均一に照明し、前眼部画像の輝度ムラ発生を低減している。
【００５９】
また、図５に示す低倍率（焦点距離が短く広画角）の対物レンズ１１１１から図６に示す高倍率（焦点距離が長く狭画角）の対物レンズ１１２１に変更された場合には、焦点距離が長くなる（ワーキングディスタンスが長くなる）。この際、図６に示す前眼部照明光源１１２２−１による照明光の照明範囲を図５に示す広い照明範囲５０１から変更しない場合、被検眼Ｅの前眼部を均一に照明することができなくなる。例えば、この場合、被検眼Ｅの前眼部において、対物レンズ１１２１−１の上下に２つ設けられている前眼部照明光源１１２２−１の両方から照明光が照射される部分といずれか一方から照明光が照射される部分とが生じてしまうことが考えられる。その結果、前眼部画像において輝度ムラが発生し、適正な被検眼Ｅの検査を行うことが困難となってしまう。そこで、本実施形態では、この場合、上述したように、前眼部照明光源による照明光の照明範囲を図５に示す照明範囲５０１から図６に示す照明範囲６０１のように狭く変更して、被検眼Ｅの前眼部を均一に照明し、前眼部画像の輝度ムラ発生を低減している。
【００６０】
また、第１の実施形態では、制御部１３２０は、前眼部照明光源のそれぞれに設けられている複数のＬＥＤ（発光素子）のうち、発光させるＬＥＤの数を変更することにより、照明光の照明範囲を変更する制御を行うようにすることができる。例えば、制御部１３２０は、図５に示す低倍率の対物レンズ１１１１から図６に示す高倍率の対物レンズ１１２１に変更された場合には、発光させるＬＥＤの数を減らすことにより、前眼部照明光源１１２２−１による照明光の照明範囲６０１を狭く変更する。また、例えば、制御部１３２０は、図６に示す高倍率の対物レンズ１１２１から図５に示す低倍率の対物レンズ１１１１に変更された場合には、発光させるＬＥＤの数を増やすことにより、前眼部照明光源１１１２−１による照明光の照明範囲５０１を広く変更する。
【００６１】
なお、図１、図５及び図６では、対物レンズの上下に２つの前眼部照明光源を設ける例を示したが、本発明においてはこの形態に限定されるものではない。例えば、対物レンズの周囲に３つ以上の前眼部照明光源を設ける形態も、本発明に適用可能である。
【００６２】
また、図５に示す前眼部照明光源１１１２−１と図６に示す前眼部照明光源１１２２−１の設置数を変えて、照明光の照明範囲を変更するようにしてもよい。例えば、図５に示す前眼部照明光源１１１２−１の設置数を、図６に示す前眼部照明光源１１２２−１の設置数よりも多くし、それぞれの前眼部照明光源を点灯させることにより、図６の場合と比較して図５の場合に照明光の照明範囲５０１を広く変更してもよい。
【００６３】
また、前眼部照明光源を複数配置させる場合、被検眼Ｅに向かって上下に複数取り付けるようにしてもよい。この場合、前眼部照明光源が被検眼Ｅの前眼部に近くなるため、ダイクロイックミラー１１６１への光線の入射角が大きくなる。そのため、ダイクロイックミラー１１６１の透過特性が光線の入射位置で差が大きくなる。そこで、この場合、被検眼Ｅに向かって上下に取り付けた前眼部照明光源の電流値を上下で別の値に設定することにより、ダイクロイックミラー１１６１によるシェーディングの影響を抑制し、前眼部画像内の輝度ムラの発生をより低減することができる。例えば、図１に示すように、ダイクロイックミラー１１６１の上側が被検眼Ｅ寄りにある場合、被検眼Ｅに向かって下側の前眼部照明光源の電流値を上げて照明光量を上げることにより、シェーディングの影響を抑制し、アライメントに適した前眼部画像が得られる。
【００６４】
以上説明しましたように、第１の実施形態に係る眼科装置１０００では、制御部１３２０が、情報取得部１３１０で取得された対物レンズの倍率に応じて、照明手段である前眼部照明光源から出射する照明光の照明範囲を変更する制御を行うようにしている。
かかる構成によれば、被検眼Ｅの前眼部を均一に照明することができる。その結果、前眼部画像の輝度ムラの発生を低減することが可能となる。
【００６５】
＜第１の実施形態の変形例＞
次に、本発明の第１の実施形態の変形例について説明する。
【００６６】
上述した本発明の第１の実施形態では、制御部１３２０が、情報取得部１３１０で取得された対物レンズの倍率に応じて前眼部照明光源から出射する照明光の照明範囲を変更する制御を行うものであったが、本発明はこの形態に限定されるものではない。例えば、以下に説明する第１の実施形態の変形例も、本発明に適用可能である。
【００６７】
第１の実施形態の変形例では、対物レンズ鏡筒１１１０に格納されている前眼部照明光源１１１２、及び、対物レンズ鏡筒１１２０に格納されている前眼部照明光源１１２２のそれ自体が、それぞれ異なる照明範囲の照明光を照射するものである。具体的に、この第１の実施形態の変形例について、図５及び図６を用いて説明する。
【００６８】
第１の実施形態の変形例では、図５に示す対物レンズ鏡筒１１１０−１が眼科装置１０００に装着された場合、前眼部照明光源１１１２−１は、被検眼Ｅの前眼部に対して、照明範囲５０１の照明光を照射するように設定されている。より具体的に、前眼部照明光源１１１２−１は、低倍率の対物レンズ１１１１−１の倍率に基づく被検眼Ｅと対物レンズ１１１１−１との間の第１の距離であるワーキングディスタンスＷＤ１に応じた照明範囲５０１の照明光を照射するように設定されている。また、第１の実施形態の変形例では、図６に示す対物レンズ鏡筒１１２０−１が眼科装置１０００に装着された場合、前眼部照明光源１１２２−１は、被検眼Ｅの前眼部に対して、照明範囲６０１の照明光を照射するように設定されている。より具体的に、前眼部照明光源１１２２−１は、高倍率の対物レンズ１１２１−１の倍率に基づく被検眼Ｅと対物レンズ１１２１−１との間の第２の距離であるワーキングディスタンスＷＤ２に応じた照明範囲６０１の照明光を照射するように設定されている。この場合、ワーキングディスタンスが長い方の前眼部照明光源１１２２−１は、ワーキングディスタンスが短い方の前眼部照明光源１１１２−１よりも、照明範囲が狭い照明光を照射することになる。また、逆に、ワーキングディスタンスが短い方の前眼部照明光源１１１２−１は、ワーキングディスタンスが長い方の前眼部照明光源１１２２−１よりも、照明範囲が広い照明光を照射することになる。
【００６９】
以上説明しましたように、第１の実施形態の変形例では、眼科装置１０００に対して着脱可能に構成された各対物レンズ鏡筒において、前眼部照明光源は、被検眼Ｅの前眼部に対して、当該各対物レンズ鏡筒に格納されている対物レンズの倍率に基づくワーキングディスタンスに応じた照明範囲の照明光を照射するように構成されている。
かかる構成によれば、対物レンズの倍率を変更する際に、当該対物レンズとともに前眼部照明光源を格納する対物レンズ鏡筒を交換することで、被検眼Ｅの前眼部を均一に照明することができる。その結果、前眼部画像の輝度ムラの発生を低減することが可能となる。
【００７０】
（第２の実施形態）
次に、本発明の第２の実施形態について説明する。
【００７１】
第２の実施形態は、上述した第１の実施形態の変形例と同様に、前眼部照明光源自体によって、被検眼Ｅの前眼部に対して、対物レンズの倍率に基づくワーキングディスタンスに応じた照明光を照射する形態である。具体的に、上述した第１の実施形態の変形例では、それぞれの前眼部照明光源は、それぞれのワーキングディスタンスに応じた照明範囲の照明光を照射するものであった。これに対して、第２の実施形態では、それぞれの前眼部照明光源は、それぞれのワーキングディスタンスに応じた向きから照明光を照射するものである。
【００７２】
第２の実施形態に係る眼科装置の概略構成は、図１に示す第１の実施形態に係る眼科装置１０００の概略構成と同様である。以下の第２の実施形態の説明においては、上述した第１の実施形態（上述した第１の実施形態の変形例も含む）と異なる部分について説明する。
【００７３】
図７は、本発明の第２の実施形態に係る眼科装置１０００において、低倍率（焦点距離が短く広画角）の対物レンズ１１１１を格納する対物レンズ鏡筒１１１０が装着された場合の様子を示す図である。この図７において、図１に示す構成と同様の構成については同じ符号を付しており、その詳細な説明は省略する。また、図７では、図１に示す対物レンズ鏡筒１１１０に相当する構成を「対物レンズ鏡筒１１１０−２」として記載し、図１に示す対物レンズ１１１１に相当する構成を「対物レンズ１１１１−２」として記載し、図１に示す前眼部照明光源１１１２に相当する構成を「前眼部照明光源１１１２−２」として記載し、図１に示す目印１１１３に相当する構成を「目印１１１３−２」として記載している。また、図７に示す場合において、低倍率の対物レンズ１１１１−２の倍率に基づく被検眼Ｅと対物レンズ１１１１−２との間のワーキングディスタンスをワーキングディスタンスＷＤ１として記載している。
【００７４】
図８は、本発明の第２の実施形態に係る眼科装置１０００において、高倍率（焦点距離が長く狭画角）の対物レンズ１１２１を格納する対物レンズ鏡筒１１２０が装着された場合の様子を示す図である。この図８において、図１に示す構成と同様の構成については同じ符号を付しており、その詳細な説明は省略する。また、図８では、図１に示す対物レンズ鏡筒１１２０に相当する構成を「対物レンズ鏡筒１１２０−２」として記載し、図１に示す対物レンズ１１２１に相当する構成を「対物レンズ１１２１−２」として記載し、図１に示す前眼部照明光源１１２２に相当する構成を「前眼部照明光源１１２２−２」として記載し、図１に示す目印１１２３に相当する構成を「目印１１２３−２」として記載している。また、図８に示す場合において、高倍率の対物レンズ１１２１−２の倍率に基づく被検眼Ｅと対物レンズ１１２１−２との間のワーキングディスタンスをワーキングディスタンスＷＤ２として記載している。なお、図７に示すワーキングディスタンスＷＤ１と図８に示すワーキングディスタンスＷＤ２との関係は、ＷＤ２＞ＷＤ１となっている。
【００７５】
第２の実施形態では、図７に示す対物レンズ鏡筒１１１０−２が眼科装置１０００に装着された場合、前眼部照明光源１１１２−２は、被検眼Ｅの前眼部に対して、低倍率の対物レンズ１１１１−２の倍率に基づくワーキングディスタンスＷＤ１に応じた向きから照明光を照射している。また、第２の実施形態では、図８に示す対物レンズ鏡筒１１２０−２が眼科装置１０００に装着された場合、前眼部照明光源１１２２−２は、被検眼Ｅの前眼部に対して、高倍率の対物レンズ１１２１−２の倍率に基づくワーキングディスタンスＷＤ２に応じた向きから照明光を照射している。この場合、ワーキングディスタンスが長い方の前眼部照明光源１１２２−２は、ワーキングディスタンスが短い方の前眼部照明光源１１１２−２よりも、その向きが被検眼Ｅの前眼部に向かう方向から外れた向きから照明光を照射することになる。また、逆に、ワーキングディスタンスが短い方の前眼部照明光源１１１２−２は、ワーキングディスタンスが長い方の前眼部照明光源１１２２−２よりも、その向きが被検眼Ｅの前眼部に向かう方向から照明光を照射することになる。これにより、第２の実施形態では、図７及び図８に示すように、照明光で照明できない部分等を生じさせることなく被検眼Ｅの前眼部を照明光で均一に照明することができる。なお、図７及び図８に示す例では、前眼部照明光源１１１２−２及び前眼部照明光源１１２２−２から出射する照射光の照明範囲は同じである場合を想定しているが、本発明においてはこれに限定されるものではなく、照射光の照明範囲を異なるようにしてもよい。
【００７６】
以上説明しましたように、第２の実施形態では、眼科装置１０００に対して着脱可能に構成された各対物レンズ鏡筒において、各前眼部照明光源は、被検眼Ｅの前眼部に対して、当該各対物レンズ鏡筒に格納されている対物レンズの倍率に基づくワーキングディスタンスに応じた向きから照明光を照射するように構成されている。
かかる構成によれば、対物レンズの倍率を変更する際に、当該対物レンズとともに前眼部照明光源を格納する対物レンズ鏡筒を交換することで、被検眼Ｅの前眼部を均一に照明することができる。その結果、前眼部画像の輝度ムラの発生を低減することが可能となる。
【００７７】
（第３の実施形態）
次に、本発明の第３の実施形態について説明する。
【００７８】
第３の実施形態は、上述した第１の実施形態の変形例と同様に、前眼部照明光源自体によって、被検眼Ｅの前眼部に対して、対物レンズの倍率に基づくワーキングディスタンスに応じた照明光を照射する形態である。具体的に、上述した第１の実施形態の変形例では、それぞれの前眼部照明光源は、それぞれのワーキングディスタンスに応じた照明範囲の照明光を照射するものであった。これに対して、第３の実施形態では、照明手段の一構成として、それぞれの前眼部照明光源から出射された照明光を被検眼Ｅの前眼部に向けて反射する光学部材を設け、これをそれぞれのワーキングディスタンスに応じた位置に配置するものである。
【００７９】
第３の実施形態に係る眼科装置の概略構成は、上述した光学部材を設ける以外の構成については、図１に示す第１の実施形態に係る眼科装置１０００の概略構成と同様である。以下の第３の実施形態の説明においては、上述した第１の実施形態（上述した第１の実施形態の変形例も含む）と異なる部分について説明する。
【００８０】
図９は、本発明の第３の実施形態に係る眼科装置１０００において、低倍率（焦点距離が短く広画角）の対物レンズ１１１１を格納する対物レンズ鏡筒１１１０が装着された場合の様子を示す図である。この図９において、図１に示す構成と同様の構成については同じ符号を付しており、その詳細な説明は省略する。また、図９では、図１に示す対物レンズ鏡筒１１１０に相当する構成を「対物レンズ鏡筒１１１０−３」として記載し、図１に示す対物レンズ１１１１に相当する構成を「対物レンズ１１１１−３」として記載し、図１に示す前眼部照明光源１１１２に相当する構成を「前眼部照明光源１１１２−３」として記載し、図１に示す目印１１１３に相当する構成を「目印１１１３−３」として記載している。また、第３の実施形態では、図９に示すように、照明手段の一構成として、前眼部照明光源１１１２−３から出射された照明光を被検眼Ｅの前眼部に向けて反射する光学部材１１１４が設けられている。また、図９に示す場合において、低倍率の対物レンズ１１１１−３の倍率に基づく被検眼Ｅと対物レンズ１１１１−３との間のワーキングディスタンスをワーキングディスタンスＷＤ１として記載している。
【００８１】
図１０は、本発明の第３の実施形態に係る眼科装置１０００において、高倍率（焦点距離が長く狭画角）の対物レンズ１１２１を格納する対物レンズ鏡筒１１２０が装着された場合の様子を示す図である。この図１０において、図１に示す構成と同様の構成については同じ符号を付しており、その詳細な説明は省略する。また、図１０では、図１に示す対物レンズ鏡筒１１２０に相当する構成を「対物レンズ鏡筒１１２０−３」として記載し、図１に示す対物レンズ１１２１に相当する構成を「対物レンズ１１２１−３」として記載し、図１に示す前眼部照明光源１１２２に相当する構成を「前眼部照明光源１１２２−３」として記載し、図１に示す目印１１２３に相当する構成を「目印１１２３−３」として記載している。また、第３の実施形態では、図１０に示すように、照明手段の一構成として、前眼部照明光源１１２２−３から出射された照明光を被検眼Ｅの前眼部に向けて反射する光学部材１１２４が設けられている。また、図１０に示す場合において、高倍率の対物レンズ１１２１−３の倍率に基づく被検眼Ｅと対物レンズ１１２１−３との間のワーキングディスタンスをワーキングディスタンスＷＤ２として記載している。なお、図９に示すワーキングディスタンスＷＤ１と図１０に示すワーキングディスタンスＷＤ２との関係は、ＷＤ２＞ＷＤ１となっている。
【００８２】
第３の実施形態では、図９に示す対物レンズ鏡筒１１１０−３が眼科装置１０００に装着された場合、低倍率の対物レンズ１１１１−３の倍率に基づくワーキングディスタンスＷＤ１に応じた位置に配置された光学部材１１１４で、前眼部照明光源１１１２−３から出射された照明光を被検眼Ｅの前眼部に向けて反射している。また、第３の実施形態では、図１０に示す対物レンズ鏡筒１１２０−３が眼科装置１０００に装着された場合、高倍率の対物レンズ１１２１−３の倍率に基づくワーキングディスタンスＷＤ２に応じた位置に配置された光学部材１１２４で、前眼部照明光源１１２２−３から出射された照明光を被検眼Ｅの前眼部に向けて反射している。この場合、ワーキングディスタンスが長い方の光学部材１１２４は、ワーキングディスタンスが短い方の光学部材１１１４よりも、前眼部照明光源から離れた位置に配置されて照明光を被検眼Ｅの前眼部に向けて反射している。また、逆に、ワーキングディスタンスが短い方の光学部材１１１４は、ワーキングディスタンスが長い方の光学部材１１２４よりも、前眼部照明光源から近い位置に配置されて照明光を被検眼Ｅの前眼部に向けて反射している。これにより、第３の実施形態では、図９及び図１０に示すように、照明光で照明できない部分等を生じさせることなく被検眼Ｅの前眼部を照明光で均一に照明することができる。なお、図９及び図１０に示す例では、前眼部照明光源１１１２−３及び前眼部照明光源１１２２−３から出射する照射光の照明範囲は同じである場合を想定しているが、本発明においてはこれに限定されるものではなく、照射光の照明範囲を異なるようにしてもよい。また、光学部材１１１４及び光学部材１１２４としては、ミラーを用いることが好適であるが、本実施形態においてはこれに限定されるものではなく、例えばマスクを印刷等した拡散板を用いてもよい。
【００８３】
以上説明しましたように、第３の実施形態では、眼科装置１０００に対して着脱可能に構成された各対物レンズ鏡筒において、各光学部材は、当該各対物レンズ鏡筒に格納されている対物レンズの倍率に基づくワーキングディスタンスに応じた位置で、各前眼部照明光源から出射された照明光を被検眼Ｅの前眼部に向けて反射するように構成されている。
かかる構成によれば、対物レンズの倍率を変更する際に、当該対物レンズとともに前眼部照明光源及び光学部材を格納する対物レンズ鏡筒を交換することで、被検眼Ｅの前眼部を均一に照明することができる。その結果、前眼部画像の輝度ムラの発生を低減することが可能となる。
【００８４】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００８５】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【００８６】
１０００：眼科装置、１１００：光学ヘッド部、１１１０：対物レンズ鏡筒、１１１１：低倍率の対物レンズ、１１１２：前眼部照明光源、１１１３：目印、１１２０：対物レンズ鏡筒、１１２１：高倍率の対物レンズ、１１２２：前眼部照明光源、１１２３：目印、１２００：電動ステージ部、１３００：制御・処理部、１３１０：情報取得部、１３２０：制御部、１３３０：画像生成部、１３４０：記憶部、１４００：入力部、１５００：表示部、Ｅ：被検眼、Ｅｆ：眼底
【図１】
2018187226.tif 000003
【図２】
2018187226.tif 000004
【図３】
2018187226.tif 000005
【図４】
2018187226.tif 000006
【図５】
2018187226.tif 000007
【図６】
2018187226.tif 000008
【図７】
2018187226.tif 000009
【図８】
2018187226.tif 000010
【図９】
2018187226.tif 000011
【図１０】
2018187226.tif 000012